(57)【要約】  衝撃が加わってもＩＣタグの破損を防止することで、ＩＤ情報の読み取りの信頼性を向上させることが可能な連結ホースを提供すること。  樹脂製のライナ３２の外周側が布製の筒状ジャケット３１で覆われているホース部３０の両端に連結金具２０が取り付けられている連結ホース１０であり、筒状ジャケット３１の外周側に配置される布製の口巻き布４０と、口巻き布４０の外周側に配置されると共に、縮径加工により形成された縮径部５１および縮径加工が施されていない加工逃げ部５２を備える固定用金具５０と、筒状ジャケット３１と口巻き布４０の間に配置されると共に、ＩＣチップ７２が取り付けられたＩＣタグ７０を備える組込ＩＣタグ６０と、を備え、口巻き布４０には、加工逃げ部５２によって外部の衝撃から保護される保護領域が形成されると共に、保護領域には、ＩＣタグ７０が配置されている。
2019207703.tif 000002
【特許請求の範囲】
【請求項１】
樹脂製の内張りが内面に一体形成された筒状ジャケットからなるホース部の両端に連結金具が取り付けられている連結ホースであって、
前記筒状ジャケットの端部外周側に配置される布製の口巻き布と、
前記口巻き布の外周側に配置されると共に、縮径加工により形成された縮径部および縮径加工が施されていない加工逃げ部を備える固定用金具と、
前記前記筒状ジャケットと前記口巻き布の間に配置されると共に、ＩＣチップが取り付けられたＩＣタグを備える組込ＩＣタグと、
を備え、
前記口巻き布には、前記加工逃げ部によって外部の衝撃から保護される保護領域が形成されると共に、
前記保護領域には、前記ＩＣタグが配置されている、
ことを特徴とする連結ホース。
【請求項２】
請求項１記載の連結ホースであって、
前記保護領域は、前記加工逃げ部によって前記口巻き布の外周側が覆われている部位と、前記加工逃げ部によって前記口巻き布の外周側が覆われている部位に隣接する隣接領域とが含まれる、
ことを特徴とする連結ホース。
【請求項３】
請求項１または２記載の連結ホースであって、
前記組込ＩＣタグは、導電性の導体を有する配線を備えると共に、
前記配線には、前記縮径部および前記加工逃げ部で覆われない部位に存在するモノポールアンテナ部と、前記縮径部に少なくとも一部が差し掛かる固定配線部と、前記ＩＣタグを囲む状態で配置されている誘導結合コイル部と、を備えている、
ことを特徴とする連結ホース。
【請求項４】
請求項３記載の連結ホースであって、
前記配線には、前記配線が重ね合わされた状態で捩じられたツイスト部が設けられている、
ことを特徴とする連結ホース。
【請求項５】
請求項３または４記載の連結ホースであって、
前記配線は、複数の前記導体を撚り合わせた撚線部を備えている、
ことを特徴とする連結ホース。
【請求項６】
請求項３から５のいずれか１項に記載の連結ホースであって、
前記ＩＣタグの厚み寸法は、前記配線の太さよりも小さく設けられている、
ことを特徴とする連結ホース。
【発明の詳細な説明】
【技術分野】
【０００１】
本発明は、連結ホースに関する。
【背景技術】
【０００２】
たとえば消防用ホースのように、屋外で使用される連結可能なホース（連結ホース）の中には、特許文献１に開示のように、ＩＣチップを有するＩＤタグを取り付けているものが存在する。特許文献１に開示の消防用ホースは、外部に露出する保護布（５）を備えていて、その保護布（５）には複合糸（１０）が織り込まれている。ここで、複合糸（１０）は、導電性パターン（１５）が形成された糸本体（１１）と、導電性パターン（１５）を介して信号を送受信するＩＣチップ（１２）とを備えている。それにより、ＩＣチップ（１２）からＩＤ情報を読み取ることを可能としている。
【先行技術文献】
【特許文献】
【０００３】
【特許文献１】特開２０１５−０２７３９０号公報
【発明の概要】
【発明が解決しようとする課題】
【０００４】
ところで、特許文献１に開示の構成では、ＩＣチップ（１２）は、保護布（５）に組み込まれた構成となっているが、この構成では、外部衝撃によって、ＩＣチップ（１２）が破損する虞がある。特に、火災現場では、迅速な消火作業を行うために、固定部材（６，８）に対応するカシメ金具の根元付近を足で踏み付けて、連結金具（３，４）が斜め上向きとなるように踏み起こし、その状態で他の消防ホースの連結金具（３，４）と連結することが多い。このため、ＩＣチップ（１２）が踏み付けられると、そのＩＣチップ（１２）が破損して、ＩＤ情報の読み取りが不能となる虞がある。【０００５】
また、踏み付け以外にも、鋭いエッジ部やコーナ部などでホースが折れ曲がることを想定した場合など、ＩＣチップ（１２）に外部衝撃が加わる虞があり、その場合には上記と同様にＩＣチップ（１２）が破損して、ＩＤ情報の読み取りが不能となる虞がある。【０００６】
本発明は上記の事情にもとづきなされたもので、その目的とするところは、外部衝撃が加わってもＩＣタグの破損を防止することで、ＩＤ情報の読み取りの信頼性を向上させることが可能な連結ホースを提供しよう、とするものである。
【課題を解決するための手段】
【０００７】
上記課題を解決するために、本発明の第１の観点によると、樹脂製の内張りが内面に一体形成された筒状ジャケットからなるホース部の両端に連結金具が取り付けられている連結ホースであって、筒状ジャケットの端部外周側に配置される布製の口巻き布と、口巻き布の外周側に配置されると共に、縮径加工により形成された縮径部および縮径加工が施されていない加工逃げ部を備える固定用金具と、筒状ジャケットと口巻き布の間に配置されると共に、ＩＣチップが取り付けられたＩＣタグを備える組込ＩＣタグと、を備え、口巻き布には、加工逃げ部によって外部の衝撃から保護される保護領域が形成されると共に、保護領域には、前記ＩＣタグが配置されている、ことを特徴とする連結ホースが提供される。【０００８】
また、本発明の他の側面は、上述の発明において、保護領域は、加工逃げ部によって口巻き布の外周側が覆われている部位と、加工逃げ部によって口巻き布の外周側が覆われている部位に隣接する隣接領域とが含まれる、ことが好ましい。【０００９】
また、本発明の他の側面は、上述の発明において、組込ＩＣタグは、導電性の導体を有する配線を備えると共に、配線には、縮径部および加工逃げ部で覆われない部位に存在するモノポールアンテナ部と、縮径部に少なくとも一部が差し掛かる固定配線部と、ＩＣタグを囲む状態で配置されている誘導結合コイル部と、を備えている、ことが好ましい。【００１０】
また、本発明の他の側面は、上述の発明において、配線には、配線が重ね合わされた状態で捩じられたツイスト部が設けられている、ことが好ましい。【００１１】
また、本発明の他の側面は、上述の発明において、配線は、複数の導体を撚り合わせた撚線部を備えている、ことが好ましい。【００１２】
また、本発明の他の側面は、上述の発明において、ＩＣタグの厚み寸法は、配線の太さよりも小さく設けられている、ことが好ましい。
【発明の効果】
【００１３】
本発明によると、外部衝撃が加わってもＩＣタグの破損を防止することで、ＩＤ情報の読み取りの信頼性を向上させることが可能な連結ホースを提供することができる。
【図面の簡単な説明】
【００１４】
【図１】図１は、本発明の一実施の形態に係る消防用ホースの雌側の連結金具付近の構成を示す正面図である。
【図２】図１に示す消防用ホースの軸方向に沿った断面図である。
【図３】図１に示す消防用ホースが備える組込ＩＣタグの概略的な構成を示す図である。
【図４】図３に示す組込ＩＣタグのＩＣタグの構成を示す斜視図である。
【図５】図３に示す組込ＩＣタグの配線の断面を示す図である。
【図６】図３に示す組込ＩＣタグの誘導結合コイル部における、ＩＣタグの厚み寸法と、配線の直径の関係を示す断面図である。
【図７】図１に示す消防用ホースの部分的な断面を示す図であり、組込ＩＣタグの配置部位を示す図である。
【図８】本発明の変形例に係り、アース部が複数回折り曲げられた状態を示す平面図である。
【図９】本発明の変形例に係り、アース部およびモノポールアンテナ部が複数回折り曲げられた状態を示す平面図である。
【発明を実施するための形態】
【００１５】
以下、本発明の一実施の形態に係る、連結ホースとしての消防用ホースについて、図面に基づいて説明する。
【００１６】
図１は、本発明の一実施の形態に係る消防用ホース１０の構成を示す正面図である。図２は、図１に示す消防用ホース１０の軸方向に沿った断面図である。図１および図２に示すように、消防用ホース１０は、連結金具２０と、ホース部３０と、口巻き布４０と、固定用金具５０と、組込ＩＣタグ６０とを有している。
【００１７】
図１および図２において下方側に位置する雌側の連結金具２０は、図１および図２において上方側に位置する雄側の連結金具２０と連結される部分である。なお、以下の説明では、必要に応じて、雌側の連結金具２０を連結金具２０Ａと称呼し、雄側の連結金具２０を連結金具２０Ｂと称呼する。連結金具２０Ａは、連結金具２０Ｂが差し込まれる部分であり、その内面側に雌側連結部２１Ａを備えている。また、連結金具２０Ａに連結される連結金具２０Ｂは、その外周面に雄側連結部２１Ｂを備えている。また、連結金具２０Ａ，２０Ｂには、後述するホース部３０の内側に挿入される挿入取付部２２が設けられている。なお、本実施の形態では、連結の着脱動作のための機械構造は図示を省略している。
【００１８】
なお、雌側の連結金具２０Ａは、消防用ホース１０における雄側の連結金具２０Ｂのみならず、消防車両のポンプの吐出口や、消火栓の吐出口等にも連結可能である。
【００１９】
また、ホース部３０は、布製の筒状ジャケット３１を備えている。筒状ジャケット３１は、経糸と緯糸とを筒状に織り込むことで構成されている。筒状ジャケット３１の内面側には、合成樹脂製の内張り３２が形成されている。内張り３２は、その内側に消火用の水を放水するために高い水圧が作用しても、水が外部に漏れないよう、気密に形成されている。
【００２０】
また、口巻き布４０は、ホース部３０の端部に配置されると共に、筒状ジャケット３１の外周側に配置される。この口巻き布４０は、固定用金具５０を縮径しカシメ固定する場合や消防用ホース１０の踏み起こしによる連結動作時に、ホース部３０を保護する部分である。
【００２１】
また、固定用金具５０は、カシメ金具とも称呼される。この固定用金具５０は、縮径部５１と、加工逃げ部５２とを有している。縮径部５１は、その外周側から外力が内側に向かって押しつぶすように加えられることで、カシメ固定される部分である。すなわち、固定用金具５０の内側には、口巻き布４０が配置され、さらに口巻き布４０の内側にホース部３０が配置され、そのホース部３０の内側に連結金具２０Ａ，２０Ｂの挿入取付部２２Ａ，２２Ｂが挿入される。その状態で、固定用金具５０の縮径部５１に対して強力な締め付け力を及ぼす（カシメ加工する）ことで、縮径部５１は塑性変形する。それにより、ホース部３０に対して、連結金具２０Ａ，２０Ｂが口巻き布４０および固定用金具５０を介して強固に固定される。さらにこの強固な固定により消防用ホース１０の通水時の水漏れを防いでいる。
【００２２】
また、加工逃げ部５２は、縮径部５１の端部側に設けられている。この加工逃げ部５２は、外力によって、口巻き布４０側に押し付けられない部分である。したがって、加工逃げ部５２と口巻き布４０の間、および口巻き布４０とホース部３０の間の押圧力は、さほど高くないか、ほとんど作用しない状態となっている。
【００２３】
なお、縮径部５１に対してカシメ加工を行うことで、縮径部５１は縮径されている（小径となっている）。そのため、加工逃げ部５２は、縮径部５１から離間するにつれて、徐々に大径となるように設けられている。しかしながら、たとえば加工逃げ部５２と縮径部５１との間の境界が段差状に設けられる等、他の形態に形成されても良い。
【００２４】
ここで、ホース部３０と口巻き布４０の間には、組込ＩＣタグ６０が配置されている。図３は、組込ＩＣタグ６０の概略的な構成を示す図である。図４は、ＩＣタグ７０（ＩＣインレットともいう）の構成を示す斜視図である。図３に示すように、組込ＩＣタグ６０は、ＩＣタグ７０と、配線８０とを備えている。ＩＣタグ７０は、図４に示すように、ＩＣタグ基板７１と、ＩＣチップ７２と、コイルアンテナ７３とを備えている。ＩＣタグ基板７１は、略矩形状をなす平板形状に形成されている。ＩＣタグ基板７１としては、たとえばガラスエポキシ基板あるいはＰＥＴを始めとした樹脂製のフィルムを用いることができる。ＩＣタグ基板７１は、ＩＣチップ７２と、コイルアンテナ７３とを有しているが、そのうちＩＣチップ７２は、各種のデータを記憶する。また、コイルアンテナ７３はＩＣチップ７２を作動させるための電力を生じさせる部分である。
【００２５】
なお、ＩＣチップ７２としては、たとえば株式会社日立化成のＵＨＦ帯のＩＭ５−ＰＫ２５２５型（商品名）が代表例として挙げられるが、その他の物を用いても良い。ここで、ＩＭ５−ＰＫ２５２５型（商品名）においては、そのサイズは、２．５ｍｍ四方となっていて、その厚みは０．４ｍｍとなっている。
【００２６】
また、本実施の形態では、ＩＣチップ７２には、消防用ホース１０を個体識別するためのＩＤ情報が記憶されている。このようなＩＤ（identification）情報としては、消防用ホース１０のサイズ情報、適合可能な他の消防ホースに関する情報、規格に関する情報、検査に関する情報、製造年月日、購入年月日、消防用ホース１０が管理されている消防署等の管理場所、交換時期情報、消防用ホース１０が搭載される消防車の車体情報等がある。かかるＩＤ情報を専用のリーダ装置で読み取り、その読み取った情報を外部のサーバ等で管理することで、消防用ホース１０の使用している期間、使用回数等を把握することができ、消防用ホース１０の保守点検や寿命の管理を容易に行うことが可能となる。
【００２７】
図５は、配線８の断面を示す断面図である。この配線８０は、複数の導体８０ａを撚り合わせた撚線部８０ｂを備え、その撚線部８０ｂの外周側が絶縁体８０ｃで覆われた構成となっている。
【００２８】
この配線８０は、誘導結合コイル部８１と、ツイスト部８２と、モノポールアンテナ部８３と、アース部８４（固定配線部に対応）とを有している。誘導結合コイル部８１は、ＩＣタグ７０の外周側を取り巻くようにループ状に形成されている部分である。すなわち、ループ状の誘導結合コイル部８１の内側には、ＩＣタグ７０が配置される。ここで、コイルアンテナ７３と誘導結合コイル部８１とは近接対向もしくは同一平面を共有しているため、コイルアンテナ７３と誘導結合コイル部８１の間には、トランス結合が生じる。いわば、コイルアンテナ７３と誘導結合コイル部８１の間には、相互誘導による磁界が生じる。そのため、誘導結合コイル部８１を介して、ＩＣチップ７２に対して情報の読み出しおよび情報の書き込みが可能となる。
【００２９】
図６は、誘導結合コイル部８１における、ＩＣタグ７０の厚み寸法と、配線８０の直径の関係を示す断面図である。図６に示すように、ＩＣタグ７０の厚み寸法は、配線８０の直径よりも小さく設けられている。このため、仮に組込ＩＣタグ６０に足での踏み起こしや消防用ホース１０の通水時の水圧等による外力が作用しても、その外力は、配線８０（誘導結合コイル部８１）に作用させることができる。したがって、ＩＣタグ７０に、外力が及ぼされるのを抑える構成となっている。
【００３０】
また、ツイスト部８２は、配線８０の行き側と戻り側を重ね合わせた状態で、１回以上捩じることで構成される部分である。かかるツイスト部８２が存在する場合、外力の作用によって配線８０に引っ張り力が作用しても、誘導結合コイル部８１が巻き崩れない状態を維持することができる。
【００３１】
また、モノポールアンテナ部８３は、離れた外部のリーダ装置（不図示）と無線通信するために必要な放射アンテナに対応する部分であり、外部のリーダ装置から放射される電磁波によって高周波電流が流れる部分である。ここで、外部のリーダ装置から放射される電磁波の波長をλとすると、モノポールアンテナ部８３は、λ／４程度の長さを有している。したがって、モノポールアンテナ部８３では、電磁気学で知られているように、その根元に当たる誘導結合コイル部８１付近で最大の高周波電流となる。それにより、外部のリーダ装置と誘導結合コイル部８１とＩＣタグ７０との間で、良好な通信状態を実現可能となっている。
【００３２】
なお、モノポールアンテナ部８３の長さとしては、たとえばＲＦＩＤ通信にて用いられるＵＨＦ帯の周波数として９２０ＭＨｚの電磁波を用いる場合、その波長の１／４波長の長さ（真空中では約８ｃｍ）とするものがある。なお、実際のモノポールアンテナの長さは、空気中の誘電率や配線８０の絶縁体８０ｃを構成する樹脂の誘電率および誘導結合コイル８１の周長などが波長短縮に働き、真空中８ｃmであるべきところ短い方向にシフトする。実験によれば、配線８０の太さが０．８ｍｍ、絶縁体８０ｃが０．２９ｍｍの厚みのフッ素樹脂製である場合、最良の感度となるモノポールアンテナの長さは６．５ｃｍであった。
【００３３】
また、アース部８４は、上述した固定用金具５０に対し、静電的に接触する部分である。たとえば、上述のカシメ加工を行うことで、絶縁体８０ｃに破断が生じて、配線８０の撚線部８０ｂが固定用金具５０と電気的に接触する場合であっても、または静電的に接触する場合のいずれであっても（すなわち物理的に接触する場合や物理的に離れた場合のいずれであっても）、モノポールアンテナ８３に対するアース部８４として動作する。
【００３４】
図７は、消防用ホース１０の部分的な断面を示す図であり、組込ＩＣタグ６０の配置部位を示す図である。図１および図６に示すように、組込ＩＣタグ６０は、筒状ジャケット３１と口巻き布４０の間に配置される。したがって、組込ＩＣタグ６０は、図１に示すように、外部から視認することは不能となっている。かかる配置においては、組込ＩＣタグ６０のうちＩＣタグ７０は、図６に示すように、加工逃げ部５２によって外部の衝撃から保護される保護領域５３（図７において破線で示される部位）に配置される。この保護領域５３は、ＩＣタグ７０のうち少なくとも一部は、正面視した場合に縮径部５１によって覆われた部位か、または加工逃げ部５２で完全に覆われていない部位であって加工逃げ部５２の近傍の位置となっている。
【００３５】
かかる保護領域５３のうち、正面視した場合にＩＣタグ７０の少なくとも一部が縮径部５１によって覆われた部位とは、いわば、ＩＣタグ７０の少なくとも一部が口巻き布４０の裏面側（内面側）と接触する部位において、その口巻き布４０の表面側（外面側）は加工逃げ部５２と当接している。このとき、正面図において加工逃げ部５２に対してＩＣタグ７０の少なくとも一部が完全に重なっていて、ＩＣタグ７０の径方向の外側には加工逃げ部５２が存在している。
【００３６】
なお、正面視した場合にＩＣタグ７０の少なくとも一部が縮径部５１によって覆われている場合、ＩＣタグ７０の全体が覆われていても良く、ＩＣタグ７０の一部のみが覆われていても良い。
【００３７】
また、保護領域５３のうち、上述のような、ＩＣタグ７０が加工逃げ部５２で完全に覆われていない部位であって加工逃げ部５２の近傍の位置に存在する場合とは、たとえば踏み付け力等の外力が付与された際に、その外力からＩＣタグ７０を保護可能な位置に、ＩＣタグ７０が存在することを指す。そのような位置の代表例としては、正面図において加工逃げ部５２に対してＩＣタグ７０が隣接する隣接領域がある。この隣接領域には、ＩＣタグ７０の端部が実際に隣接する位置がある。また、隣接領域には、ＩＣタグ７０の端部が実際に隣接しない場合でも、加工逃げ部５２に対してＩＣタグ７０の端部が、加工逃げ部５２の厚み以内または口巻き布４０の厚み以内の範囲内で離れている位置も含まれる。
【００３８】
また、組込ＩＣタグ６０の配線８０のうち、モノポールアンテナ部８３は、縮径部５１によって覆われていない部位に位置している。すなわち、モノポールアンテナ部８３が口巻き布４０の裏面側（内面側）と接触する部位において、その口巻き布４０の表面側（外面側）は加工逃げ部５２とは当接していない。したがって、外部のリーダ装置からの電磁波は、加工逃げ部５２では遮られずに、モノポールアンテナ部８３に高周波電流を生じさせることが可能となっている。
【００３９】
これに対して、アース部８４は、縮径部５１によって覆われた部位に位置している。すなわち、モノポールアンテナ部８３が口巻き布４０の裏面側（内面側）と接触する部位において、その口巻き布４０の表面側（外面側）は加工逃げ部５２と当接している。
【００４０】
＜ＩＣタグと外部のリーダ装置との通信について＞
次に、ＩＣタグ７０と外部のリーダ装置（不図示）との通信について説明する。なお、リーダ装置は、情報を読み取る機能のみならず、ＩＣタグ７０のＩＣチップ７２に情報を書き込む機能を有しても良いのは勿論である。
【００４１】
本実施の形態では、モノポールアンテナ部８３は、金属製の固定用金具５０の加工逃げ部５２には覆われておらず、布製の口巻き布４０に覆われた状態となっている。したがって、外部のリーダ装置から電磁波が放射されると、その電磁波は口巻き布４０では遮られずにモノポールアンテナ部８３に到達する。すると、モノポールアンテナ部８３では、その電磁波に基づいて高周波電流が生じ、該モノポールアンテナ部８３においては、高周波電流の進行波と反射波により定在波が形成される。特に、モノポールアンテナ部８３は、ＩＣタグ７０と外部のリーダ装置との通信において用いられる電磁波の波長の１／４程度の長さに設定されているので、進行波と反射波とで共振状態を形成し、通信可能な距離を伸ばすことが可能となっている。
【００４２】
かかる高周波電流が誘導結合コイル部８１に導通されると、図６に示すようにその周囲に磁界φが形成され、その磁界φによって、誘導結合コイル部８１と対向しているＩＣタグ７０のコイルアンテナ７３にも、相互誘導（トランス結合）による電流が生じる。その電流によりＩＣチップ７２を作動させることができる。
【００４３】
また、ＩＣチップ７２が作動すると、タグ情報がコイルアンテナ７３の高周波電流に流れ、この高周波電流に基づく磁界φによりモノポールアンテナ部８３を流れる定在波に伝播することにより、外部空間に、ＩＣチップ７２に記憶された情報を含む電波が放射される。この電波を再び外部のリーダ装置が受信することにより、ＩＣタグ通信が成立する。それによってＩＣチップ７２の情報の読み取りおよびＩＣチップ７２への情報の書き込みを行うことが可能となっている。
【００４４】
＜消防用ホースの使用について＞
たとえば、消火活動に際して、消防用ホース１０を他の消防用ホース１０に連結する場合、使用者は、固定用金具５０の根元付近を足で踏み付けて、連結金具２０Ａ，２０Ｂが斜め上向きとなるように踏み起こされる。すなわち、固定用金具５０の近傍のホース部３０には、足での踏み付け等による外部衝撃が加わる状態となる。このとき、ＩＣタグ７０が保護領域５３に存在していない場合、その外部衝撃により、ＩＣタグ７０が破壊される虞がある。
【００４５】
しかしながら、本実施の形態では、ＩＣタグ７０は、加工逃げ部５２で覆われた、または加工逃げ部５２の近傍の保護領域５３に設けられている。そのため、足での踏み付け等による外部衝撃は、保護領域５３には直接伝わらず、その保護領域５３の外部側の加工逃げ部５２とホース部３０に伝わる。そのため、ＩＣタグ７０が外部衝撃によって破損するのを良好に防止可能となっている。
【００４６】
＜効果＞
以上のような構成の消防用ホース１０は、筒状ジャケット３１の端部外周側に配置される布製の口巻き布４０と、その口巻き布４０の外周側に配置されると共に、縮径加工により形成された縮径部５１および縮径加工が施されていない加工逃げ部５２を備える固定用金具５０とを備えている。また、消防用ホース１０は、筒状ジャケット３１と口巻き布４０の間に配置されると共に、ＩＣチップ７２が取り付けられたＩＣタグ７０を備える組込ＩＣタグ６０とを備え、口巻き布４０には、加工逃げ部５２によって外部の衝撃から保護される保護領域５３が形成されると共に、その保護領域５３には、ＩＣタグ７０が配置されている。
【００４７】
このように、ＩＣタグ７０が保護領域５３に存在しているので、消防用ホース１０に対し、足での踏み起こし等による外部衝撃が加わっても、ＩＣタグ７０の破損を防止することが可能となる。たとえば、凹凸の多い荒れた路面上で固定用金具５０の根元付近の踏み起こしを行っても、ＩＣタグ７０の破損を防止可能となる。また、消防用ホース１０の外部に、ＩＣタグ７０の保護のための別途のパーツ等が不要となる。また、かかるＩＣタグ７０の破損を防止することで、ＩＣタグ７０からのＩＤ情報の読み取りの信頼性を向上させることが可能となる。
【００４８】
また、本実施の形態では、保護領域５３は、加工逃げ部５２によって口巻き布４０の外周側が覆われている部位と、加工逃げ部５２によって口巻き布４０の外周側が覆われている部位に隣接する隣接領域とが含まれている。
【００４９】
このため、ＩＣタグ７０を配置可能な領域を広げることが可能となる。特に、ＩＣタグ７０のサイズが比較的大きい場合や、加工逃げ部５２が縮径部５１側に向かうにつれて徐々に縮径されている場合等には、加工逃げ部５２で覆われた部位にＩＣタグ７０を配置することが困難な場合がある。しかしながら、加工逃げ部５２によって口巻き布４０の外周側が覆われている部位に隣接する保護が有効な隣接領域に、ＩＣタグ７０を配置可能であるので、ＩＣタグ７０の取付範囲を拡大することができ、またＩＣタグ７０の取り付け位置の自由度を向上させることができる。
【００５０】
また、本実施の形態では、組込ＩＣタグ６０は、導電性の導体を有する配線８０を備えると共に、その配線８０には、縮径部５１および加工逃げ部５２で覆われない部位に存在するモノポールアンテナ部８３と、縮径部５１に少なくとも一部が差し掛かる固定配線部（アース部８４）と、ＩＣタグ７０を囲む状態で配置されている誘導結合コイル部８１とを備えている。
【００５１】
このため、モノポールアンテナ部８３を介して、外部のリーダ装置との間での、電磁波の送受信による通信距離を増大させることが可能となる。また、固定配線部（アース部８４）が縮径部５１に少なくとも一部が差し掛かることで、組込ＩＣタグ６０が消防用ホース１０から外れたり、容易に移動してしまうのを防止可能となる。また、誘導結合コイル部８１がＩＣタグ７０を囲む状態で配置されることで、誘導結合コイル部８１と対向または同一平面を共有しているＩＣタグ７０のコイルアンテナ７３にも、相互誘導（トランス結合）による電流を生じさせることができ、その電流によりＩＣチップ７２を作動させることができる。それにより、ＩＣタグ７０と外部のリーダ装置との間で通信を行うことが可能となる。
【００５２】
また、本実施の形態では、配線８０には、その配線８０が重ね合わされた状態で捩じられたツイスト部８２が設けられている。このため、配線８０に外力等が作用して、配線８０が引っ張られても、誘導結合コイル部８１が巻き崩れない状態を維持することができる。
【００５３】
また、本実施の形態では、配線８０は、複数の導体８０ａを撚り合わせた撚線部８０ｂを備えている。ここで、巻き取りや屈曲を繰り返す消防用ホース１０にあっては、モノポールアンテナ８３の屈曲による断線に耐久できなければならない。しかしながら、本実施の形態では、配線８０を構成する複数の導体８０ａのうちの１本の導体８０ａが屈曲によって断線しても、全ての導体８０ａが断線しない限り、ＩＣタグ７０を含む組込ＩＣタグ６０と外部のリーダ装置との間の通信が維持可能となる。
【００５４】
また、本実施の形態では、ＩＣタグ７０の厚み寸法は、配線８０の断面直径（太さ）よりも小さく設けられている。このため、仮に組込ＩＣタグ６０に足での踏み起こし等による外力が作用しても、その外力は、ＩＣタグ７０の厚みよりも大きな直径の配線８０で形成される誘導結合コイル部８１が受け止めるように作用する。したがって、ＩＣタグ７０が破損するのを防止可能となる。
【００５５】
＜変形例＞
以上、本発明の各実施の形態について説明したが、本発明はこれ以外にも種々変形可能となっている。以下、それについて述べる。
【００５６】
上述の実施の形態では、組込ＩＣタグ６０における配線８０は、直線状に設けられている。しかしながら、配線８０は、直線状には限られない。たとえば、図８に示すように、アース部８４には、複数回折り曲げられた九十九折状の部分が存在していても良い。この場合、アース部８４の長さが短くなり、それによって組込ＩＣタグ６０の全長を短くすることができる。このような九十九折状の部分の存在により、アース部８４は、ＩＣタグ７０と外部のリーダ装置との通信において用いられる電磁波の波長の１／４程度より短い固定用金具５０の長さ内に収納可能とする。
【００５７】
また、図９に示すように、モノポールアンテナ部８３にも、複数回折り曲げられた九十九折状の部分が存在していても良い。この場合、モノポールアンテナ部８３およびアース部８４の長さが短くなり、それによって組込ＩＣタグ６０の全長を短くすることができる。このような九十九折状の部分の存在により、モノポールアンテナ部８３は、ＩＣタグ７０と外部のリーダ装置との通信において用いられる電磁波の波長の１／４程度より短い口巻布４０の長さ内に収納可能とする。
【００５８】
このように、モノポールアンテナ部８３やアース部８４は、直線状には限られず、自在に変形させることができる。
【００５９】
また、上述の実施の形態において、組込ＩＣタグ６０を取り付ける場合、テープ部材に貼り付け、そのテープ部材ごと、筒状ジャケット３１と口巻き布４０の隙間に配置するようにしても良い。この場合には、組込ＩＣタグ６０を取り付ける際の作業性を向上させることができる。
【００６０】
また、上述の実施の形態では、縮径部５１は、加圧によるカシメ加工されるものとしているが、たとえばワイヤ等の強固な巻き付け等により、少なくとも一部が縮径されるものであっても良い。
【００６１】
また、上述の実施の形態では、たとえば図１において雌側の連結金具２０Ａの近傍に、組込ＩＣタグ６０が配置された構成について図示されている。しかしながら、組込ＩＣタグ６０は、雄側の連結金具２０Ｂの近傍に配置された構成を採用しても良く、雌側の連結金具２０Ａと雄側の連結金具２０Ｂの両方側に組込ＩＣタグ６０が配置された構成を採用しても良い。
【００６２】
また、上述の実施の形態では、たとえば図１における固定用金具５０の両端に位置する加工逃げ部５２のうち、連結金具２０Ａから離れる側（一端側）の加工逃げ部５２近傍の保護領域５３に、組込ＩＣタグ６０が配置された構成について説明している。しかしながら、両端の加工逃げ部５２のうち、連結金具２０Ａ，２０Ｂの少なくとも一方に近接する側（他端側）の加工逃げ部５２近傍の保護領域５３に組込ＩＣタグ６０が配置される構成を採用しても良い。この場合、保護領域は、上述の実施の形態で述べたのと同様の部分としても良い。また、加工逃げ部５２で覆われる部分を保護領域とすると共に、連結金具２０Ａ，２０Ｂと加工逃げ部５２の間の部分も保護領域としても良い。
【００６３】
また、上述の実施の形態では、連結ホースとして消防用ホース１０について説明している。しかしながら、連結ホースは消防用ホース１０には限られない。たとえば、連結ホースは、浚渫や排水用のホース、コンクリート等の流動体を供給するためのホース、化学プラントで用いられる耐薬品性や耐油性を備えるホース等、各種のホースであっても良い。
【００６４】
また、上述の各実施の形態においては、ＲＦＩＤ通信にて用いられるＵＨＦ帯の周波数としては９２０ＭＨｚが好適である。しかしながら、ＲＦＩＤ通信にて用いられるＵＨＦ帯の周波数としては、たとえば８６０ＭＨｚから９６０ＭＨｚの帯域であれば、どのような周波数であっても良い。また、ＲＦＩＤ通信にて用いられる周波数としては、ＵＨＦ帯の周波数には限られず、２．４５ＧＨｚを中心とする周波数であっても良く、４３３ＭＨｚを中心とする周波数であっても良い。
【符号の説明】
【００６５】
１０…消防用ホース、２０…連結金具、２０Ａ…雌側の連結金具、２０Ｂ…雄側の連結金具、３０…ホース部、３１…筒状ジャケット、３２…内張り、４０…口巻き布、５０…固定用金具、５１…縮径部、５２…加工逃げ部、５３…保護領域、６０…組込ＩＣタグ、７０…ＩＣタグ、７１…ＩＣタグ基板、７２…ＩＣチップ、７３…コイルアンテナ、８０…配線、８０ａ…導体、８０ｂ…撚線部、８０ｃ…絶縁体、８１…誘導結合コイル部、８２…ツイスト部、８３…モノポールアンテナ部、８４…アース部（固定配線部に対応）
【図１】
2019207703.tif 000003
【図２】
2019207703.tif 000004
【図３】
2019207703.tif 000005
【図４】
2019207703.tif 000006
【図５】
2019207703.tif 000007
【図６】
2019207703.tif 000008
【図７】
2019207703.tif 000009
【図８】
2019207703.tif 000010
【図９】
2019207703.tif 000011
【手続補正書】
【提出日】令和1年11月7日(2019.11.7)
【手続補正１】
【補正対象書類名】特許請求の範囲
【補正対象項目名】請求項１
【補正方法】変更
【補正の内容】
【請求項１】
樹脂製の内張りが内面に一体形成された筒状ジャケットからなるホース部の両端に連結金具が取り付けられている連結ホースであって、
前記筒状ジャケットの端部外周側に配置される布製の口巻き布と、
前記口巻き布の外周側に配置されると共に、縮径加工により形成された縮径部および縮径加工が施されていない加工逃げ部を備える固定用金具と、
前記筒状ジャケットと前記口巻き布の間に配置されると共に、ＩＣチップが取り付けられたＩＣタグを備える組込ＩＣタグと、
を備え、
前記口巻き布には、前記加工逃げ部によって外部の衝撃から保護される保護領域が形成されると共に、
前記保護領域には、前記ＩＣタグが配置されている、
ことを特徴とする連結ホース。
【国際調査報告】
2019207703.tif 000012
2019207703.tif 000013